【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
Ｎ個のアンテナサブアレイ（１６）を含むアンテナアレイ（１４）の減損の補償のために減損補償マトリックス（５６）を決定するための方法であって、
複数の位置（２６）のそれぞれの位置（２６）で少なくとも１つの零位（２４）を形成するマルチ信号送信の複数の異なる組み合わせ（３２、７０）を決定する工程であって、前記それぞれの位置（２６）は異なる組み合わせ（３２、７０）の各々に対応しており、前記異なる組み合わせ（３２、７０）の各々が、
前記Ｎ個のアンテナサブアレイ（１６）のうちの少なくとも２つのアンテナサブアレイ（１６）からの、関連信号特性を有する少なくとも２つの並列な信号送信を含むマルチ信号送信と、
前記それぞれの位置（２６）とを含む工程と、
マルチ信号送信の前記複数の異なる組み合わせ（３２、７０）と関連した前記信号特性（ｄ）と、前記複数の異なる組み合わせの各々に対応する前記複数の位置での期待されている信号受信とに基づいて、前記Ｎ個のアンテナサブアレイ（１６）の間で減損の影響を特定する減損マトリックス（５０）を決定する工程と、
前記減損マトリックス（５０）に基づいて減損補償マトリックス（５６）を決定する工程と
を含むことを特徴とする方法。
【請求項２】
前記信号特性が振幅特性と位相特性とを含み、前記少なくとも２つの並列な信号送信の各信号送信が、異なる関連した振幅および位相特性を有することを特徴とする請求項１に記載の方法。
【請求項３】
前記複数の位置（２６）での前記期待されている信号受信が、各アンテナサブアレイ（１６）と前記複数の位置（２６）の各位置（２６）のアンテナ（２８）との間で期待されている信号送信を特定する伝播マトリックス（３８）によって定義されることを特徴とする請求項１に記載の方法。
【請求項４】
前記アンテナアレイ（１４）経由のモバイル機器（６８）に対する並列送信のために少なくとも２つの信号を生成する工程と、
前処理済み信号を形成するために前記減損補償マトリックス（５６）に応じて前記アンテナアレイ（１４）経由の並列な送信に先立って前記少なくとも２つの信号を前処理する工程と
をさらに含むことを特徴とする請求項１に記載の方法。
【請求項５】
前記Ｎ個のアンテナサブアレイ（１６）の間で減損の影響を特定する前記減損マトリックス（５０）を決定する工程はさらに、
異なる組み合わせ（３２、７０）の各々のために少なくとも１つの線形方程式を導き出す工程を含み、前記少なくとも１つの線形方程式は、
前記異なる組み合わせ（３２、７０）の各々と関連した前記信号特性を特定する信号要素であって、前記信号特性が、前記少なくとも２つの並列な信号送信の各信号送信と関連した特定の振幅及び特定の位相を含む信号要素（ｄ）と、
前記少なくとも２つのアンテナサブアレイ（１６）の各々と前記それぞれの位置（２６）に置かれたアンテナ（２８）との間の期待されている信号伝送を特定する伝搬要素（ａ）と、
未知の減損要素（ｃ）を表している減損変数とを含む
ことを特徴とする請求項１に記載の方法。
【請求項６】
前記複数の異なる組み合わせ（３２、７０）に基づいて少なくともＮ２個の独立線形方程式を導き出す工程と、
各減損変数が前記減損マトリックス（５０）中の要素（ｃ）を含むところの減損変数を決定するために、少なくとも平均最小２乗関数および疑似逆関数のうちひとつを用いて前記減損変数を解く工程と
をさらに含むことを特徴とする請求項５に記載の方法。
【請求項７】
前記減損マトリックス（５０）に基づいて前記減損補償マトリックス（５６）を決定する工程は、
前記減損補償マトリックス（５６）を決定するために前記減損マトリックス（５０）の逆または疑似逆をとる工程を含むことを特徴とする請求項６に記載の方法。
【請求項８】
前記複数の異なる組み合わせ（３２、７０）を決定する工程は、
異なる組み合わせ（３２、７０）の各々について、
前記少なくとも２つのアンテナサブアレイ（１６）から少なくとも２つの並列な信号送信を開始する工程と、
前記少なくとも２つの並列な信号送信が前記それぞれの位置（２６）で零位（２４）を形成することを示す信号情報を前記それぞれの位置（２６）のモバイル機器（６８）から受信する工程と
をさらに含むことを特徴とする請求項１に記載の方法。
【請求項９】
前記モバイル機器（６８）に対して前記モバイル機器（６８）の位置（２６）を要求する工程と、
前記モバイル機器（６８）の位置（２６）を前記それぞれの位置（２６）として特定する工程と
をさらに含むことを特徴とする請求項８に記載の方法。
【請求項１０】
前記少なくとも２つの並列な信号送信を開始する工程は、
前記少なくとも２つのアンテナサブアレイ（１６）のうちの１つのアンテナサブアレイ（１６）によって生成された第１の基準信号（Ｒ0）と、前記少なくとも２つのアンテナサブアレイ（１６）によって生成された第２の基準信号とを含む情報のブロック（７２、７４）を前記モバイル機器に送信する工程をさらに含むことを特徴とする請求項９に記載の方法。
【請求項１１】
前記少なくとも２つの並列な信号送信により前記それぞれの位置（２６）で零位（２４）が形成されることを示す前記信号情報を、前記それぞれの位置（２６）の前記モバイル機器から受信する工程は、
前記第１の基準信号（Ｒ0）が前記モバイル機器（６８）によって受信されたことを示している前記モバイル機器（６８）からの第１の信号情報と、前記第２の基準信号（Ｒ1）が前記それぞれの位置（２６）で零位（２４）を形成したことを示している第２の信号情報とを受信する工程を含むことを特徴とする請求項１０に記載の方法。
【請求項１２】
前記複数の異なる組み合わせ（３２、７０）を決定する工程はさらに、
前記複数の異なる組み合わせ（３２、７０）の少なくともいくつかについて、
前記少なくとも２つのアンテナサブアレイ（１６）から前記少なくとも２つの並列な信号送信を開始する工程と、
繰り返し、
前記少なくとも２つの並列な信号送信の信号強度を特定する信号情報を前記それぞれの位置（２６）のモバイル機器（６８）から受信する工程と、
前記少なくとも２つの並列な信号送信が前記それぞれの位置（２６）で零位（２４）を形成することを前記信号情報が示すまで、前記少なくとも２つの並列な信号送信の前記関連信号特性を変更する工程と
を含むことを特徴とする請求項１に記載の方法。
【請求項１３】
前記それぞれの位置（２６）が、前記アンテナアレイ（１４）の照準に対する方位角と、前記少なくとも１つの零位（２４）が検出されるアンテナとで定められることを特徴とする請求項１に記載の方法。
【請求項１４】
複数の異なる減損補償マトリックス（５６）を決定する工程であって、異なる減損補償マトリックス（５０）の各々が、前記アンテナアレイ（１４）の帯域幅内のひとつの異なる周波数に対応している工程をさらに含むことを特徴とする請求項１に記載の方法。
【請求項１５】
前記それぞれの位置（２６）が、少なくとも一部においては、仰角に基づいて定められることを特徴とする請求項１に記載の方法。
【請求項１６】
Ｎ個のアンテナサブアレイ（１６）を含むアンテナアレイ（１４）における減損の補償のために減損補償マトリックス（５６）を決定するための方法であって、
前記Ｎ個のアンテナサブアレイ（１６）のサブセットから複数の異なる組み合わせのマルチ信号送信を開始する工程であって、各マルチ信号送信は、前記サブセットの中の各アンテナサブアレイ（１６）からの信号の並列送信を含み、各信号は、少なくとも特定の振幅および位相を含む信号特性を有する工程と、
前記複数のマルチ信号送信の少なくともいくつかの間に零位（２４）が形成される、前記アンテナアレイ（１４）の信号受信領域内の複数の位置（２６）を決定する工程と、
前記マルチ信号送信の前記信号特性と前記複数の異なる組み合わせの各々に対応する前記複数の位置（２６）での期待されている信号受信とに基づいて、前記Ｎ個のアンテナサブアレイ（１６）の間の減損の影響を特定する減損マトリックス（５０）を決定する工程と、
前記減損マトリックス（５０）に基づいて前記減損補償マトリックス（５６）を決定する工程と
を含むことを特徴とする方法。
【請求項１７】
Ｎ個のアンテナサブアレイ（１６）を含むアンテナアレイの減損の補償のために減損補償マトリックス（５６）を決定するための方法であって、
複数の異なる零位形成マルチ信号送信を決定する工程であって、各零位形成マルチ信号送信は、異なるマルチ信号送信の各々に対応する複数の位置（２６）のうちのひとつの位置（２６）で零位（２４）を形成する前記Ｎ個のアンテナサブアレイ（１６）の少なくとも２つのアンテナサブアレイ（１６）からの並列な信号送信を含み、
前記複数の異なる零位形成マルチ信号送信と前記複数の異なるマルチ信号送信の各々に対応する前記複数の位置（２６）での期待されている信号受信とに関連した信号特性に基づいて、前記Ｎ個のアンテナサブアレイ（１６）の間の減損の影響を特定する減損マトリックス（５０）を決定することとを含む工程と、
前記減損マトリックス（５０）に基づいて前記減損補償マトリックス（５６）を決定する工程と
を有することを特徴とする方法。
【請求項１８】
各アンテナポートがアンテナアレイ（１４）のアンテナサブアレイ（１６）と通信するよう構成された複数のアンテナポートと、
プロセッサ（８２）を含み、複数のアンテナポートと通信可能に結合されたコントローラ（８０）とを含むデバイス（１２）であって、前記コントローラ（８０）は、
複数の位置（２６）のそれぞれの位置（２６）で少なくとも１つの零位（２４）を形成するマルチ信号送信の複数の異なる組み合わせ（３２、７０）を決定し、前記複数の位置（２６）は前記異なる組み合わせの各々に対応しており、前記異なる組み合わせ（３２、７０）の各々が、
Ｎ個のアンテナサブアレイ（１６）のうちの少なくとも２つのアンテナサブアレイ（１６）からの、関連信号特性を有する少なくとも２つの並列な信号送信を含むマルチ信号送信と、
前記それぞれの位置（２６）とを含み、
マルチ信号送信の前記複数の異なる組み合わせ（３２、７０）と関連した前記信号特性（ｄ）と、前記複数の異なる組み合わせの各々に対応する前記複数の位置での期待されている信号受信とに基づいて、前記Ｎ個のアンテナサブアレイ（１６）の間の減損の影響を特定する減損マトリックス（５０）を決定し、
前記減損マトリックス（５０）に基づいて減損補償マトリックス（５６）を決定する
ことを特徴とするデバイス（１２）。
【請求項１９】
前記プロセッサ（８２）がさらに、
前記アンテナアレイ（１４）経由のモバイル機器（６８）に対する送信のために信号を生成し、
前処理済み信号を形成するために前記減損補償マトリックス（５６）に応じて前記アンテナアレイ（１４）経由の送信に先立って前記信号を前処理する
よう構成されたことを特徴とする請求項１８に記載のデバイス。
【請求項２０】
前記Ｎ個のアンテナサブアレイの間で減損の影響を特定する前記減損マトリックス（５０）を決定するために、前記コントローラ（８０）はさらに、
異なる組み合わせ（３２、７０）の各々のために線形方程式を導き出すよう構成され、各線形方程式は、
前記異なる組み合わせ（３２、７０）の少なくとも２つの並列な信号送信の各信号送信と関連した特定の振幅及び特定の位相を特定する信号要素（ｄ）と、
前記少なくとも２つのアンテナサブアレイ（１６）の各々と前記それぞれの位置（２６）に置かれたアンテナ（２８）との間の期待されている信号受信を特定する伝搬要素（ａ）と、
未知の減損要素（ｃ）を表している減損変数とを含む
ことを特徴とする請求項１８に記載のデバイス。
【請求項２１】
前記コントローラ（８０）がさらに、
前記複数の異なる組み合わせ（３２、７０）に基づいて少なくともＮ２個の独立線形方程式を導き出し、
各減損変数が前記減損マトリックス（５０）中の要素を含むところの減損変数を決定するために、少なくとも平均最小２乗関数および疑似逆関数のうちひとつを用いて前記減損変数を解くよう構成されることを特徴とする請求項２０に記載のデバイス。